(57)【特許請求の範囲】
【請求項１】
硬貨を投入する硬貨投入口を備え、投入された硬貨を装置内に取り込んで格納可能な現金処理装置であって、
前記硬貨投入口に隣接して硬貨を一時的に置く硬貨置場を設け、
前記硬貨置場は、最小サイズの硬貨の直径近傍であって当該直径より短い間隔の突起を千鳥状に備えたことにより、異物は前記突起に引っ掛って前記硬貨置場に残り、硬貨のみを前記硬貨投入口に投入することができるようにしたことを特徴とする現金処理装置。
【請求項２】
硬貨を投入する硬貨投入口を備え、投入された硬貨を装置内に取り込んで格納可能な現金処理装置であって、
前記硬貨投入口に隣接して硬貨を一時的に置く硬貨置場を設け、
前記硬貨置場は、短手方向が最小サイズの硬貨の直径近傍であって当該直径より短い楕円状の凹部を千鳥状に備えたことにより、異物は前記凹部に落ち込んで前記硬貨置場に残り、硬貨のみを前記硬貨投入口に投入することができるようにしたことを特徴とする現金処理装置。
【請求項３】
硬貨を投入する硬貨投入口を備え、投入された硬貨を装置内に取り込んで格納可能な現金処理装置であって、
前記硬貨投入口に隣接して硬貨を一時的に置く硬貨置場を設け、
前記硬貨置場は、格子状リブを備え、
前記格子状リブは、短手方向が最小サイズの硬貨の直径近傍であって当該直径より短い短手リブを有し、
前記短手リブは、前記短手方向および当該短手方向と直交する方向に複数設けられていることにより、異物は前記格子状リブの間に落ち込んで前記硬貨置場に残り、硬貨のみを前記硬貨投入口に投入することができるようにしたことを特徴とする現金処理装置。
【請求項４】
硬貨を投入する硬貨投入口を備え、投入された硬貨を装置内に取り込んで格納可能な現金処理装置であって、
前記硬貨投入口に隣接して硬貨を一時的に置く硬貨置場を設け、
前記硬貨置場は、溝幅が最小サイズの硬貨の直径近傍であって当該直径より短い溝を前記硬貨投入口方向に向かって備え、前記溝の硬貨投入口近傍に前記溝の深さ相当の段差を設けたことにより、前記溝に落ち込んだ異物は前記段差に引っ掛って前記硬貨置場に残り、硬貨のみを前記硬貨投入口に投入することができるようにしたことを特徴とする現金処理装置。
【請求項５】
硬貨を投入する硬貨投入口を備え、投入された硬貨を装置内に取り込んで格納可能な現金処理装置であって、
前記硬貨投入口に隣接して硬貨を一時的に置く硬貨置場を設け、
前記硬貨置場は、間隔が最小サイズの硬貨の直径近傍であって当該直径より短いリブを前記硬貨投入口方向に向かって備え、前記リブの硬貨投入口近傍に前記リブの高さ相当の段差を設けたことにより、前記リブの間に落ち込んだ異物は前記段差に引っ掛って前記硬貨置場に残り、硬貨のみを前記硬貨投入口に投入することができるようにしたことを特徴とする現金処理装置。
【請求項６】
硬貨を投入する硬貨投入口を備え、投入された硬貨を装置内に取り込んで格納可能な現金処理装置であって、
前記硬貨投入口に隣接して硬貨を一時的に置く硬貨置場を設け、
前記硬貨置場は、格子の対角の長さが最小サイズの硬貨の直径近傍であって当該直径より短く、リブの間を空洞とした格子状リブを備え、
前記硬貨置場の下に異物収集箱を設けたことにより、異物は前記異物収集箱に落下し、硬貨のみを前記硬貨投入口に投入することができるようにしたことを特徴とする現金処理装置。
【請求項７】
前記硬貨投入口は、当該硬貨投入口の装置正面側を囲むように落下防止部材を設けたことを特徴とする請求項１ないし請求項６いずれか記載の現金処理装置。
【発明の詳細な説明】
【技術分野】
【０００１】
本発明は、硬貨等の現金を扱う現金処理装置における硬貨投入にかかる構造に関するものである。
【背景技術】
【０００２】
従来、硬貨等の現金を扱う現金処理装置において、硬貨投入口に硬貨とともにクリップ、安全ピン等の金属異物も同時に投入され、この磁性異物が装置内部に取込まれて硬貨詰りを発生させたり、内部機構を破損させてしまったりする問題があった。
【０００３】
この問題を解決するために、図８のように、投入された硬貨４３を矢印Ｗ方向に１８０度回転して装置内に落下させて取り込む可動受け皿４５ｂの底部に永久磁石５８を備え、前記金属異物である磁性異物５７を永久磁石５８の磁力により受け皿面に吸着保持し、磁性異物５７が装置内に取り込まれないようにした技術はあった（例えば、特許文献１参照。）。
【先行技術文献】
【特許文献】
【０００４】
【特許文献１】特開２０００−９０３２２号公報
【発明の概要】
【発明が解決しようとする課題】
【０００５】
しかしながら、上記の従来の現金処理装置の構成では、可動受け皿４５ｂの底部の永久磁石５８の磁力により磁性異物５７が吸着されて溜まって硬貨４３の取り込みを阻害したり、また、磁性を持たない異物は硬貨とともに装置内部に取り込まれてしまうため、やはり、硬貨詰りを発生させたり、内部機構を破損させてしまったりする問題があった。
【課題を解決するための手段】
【０００６】
本発明は、前述の課題を解決するために次の構成を採用する。すなわち、硬貨を投入する硬貨投入口を備え、投入された硬貨を装置内に取り込んで格納可能な現金処理装置であって、前記硬貨投入口に隣接して硬貨を一時的に置く硬貨置場を設け、前記硬貨置場は、最小サイズの硬貨の直径近傍であって当該直径より短い間隔の突起を千鳥状に備えたことにより、異物は前記突起に引っ掛って前記硬貨置場に残り、硬貨のみを前記硬貨投入口に投入することができるようにした。
【０００７】
或いは、別の発明では、硬貨を投入する硬貨投入口を備え、投入された硬貨を装置内に取り込んで格納可能な現金処理装置であって、前記硬貨投入口に隣接して硬貨を一時的に置く硬貨置場を設け、前記硬貨置場は、短手方向が最小サイズの硬貨の直径近傍であって当該直径より短い楕円状の凹部を千鳥状に備えたことにより、異物は前記凹部に落ち込んで前記硬貨置場に残り、硬貨のみを前記硬貨投入口に投入することができるようにした。
【０００８】
或いは、別の発明では、硬貨を投入する硬貨投入口を備え、投入された硬貨を装置内に取り込んで格納可能な現金処理装置であって、前記硬貨投入口に隣接して硬貨を一時的に置く硬貨置場を設け、前記硬貨置場は、格子状リブを備え、前記格子状リブは、短手方向が最小サイズの硬貨の直径近傍であって当該直径より短い短手リブを有し、前記短手リブは、前記短手方向および当該短手方向と直交する方向に複数設けられていることにより、異物は前記格子状リブの間に落ち込んで前記硬貨置場に残り、硬貨のみを前記硬貨投入口に投入することができるようにした。
【０００９】
或いは、別の発明では、硬貨を投入する硬貨投入口を備え、投入された硬貨を装置内に取り込んで格納可能な現金処理装置であって、前記硬貨投入口に隣接して硬貨を一時的に置く硬貨置場を設け、前記硬貨置場は、溝幅が最小サイズの硬貨の直径近傍であって当該直径より短い溝を前記硬貨投入口方向に向かって備え、前記溝の硬貨投入口近傍に前記溝の深さ相当の段差を設けたことにより、前記溝に落ち込んだ異物は前記段差に引っ掛って前記硬貨置場に残り、硬貨のみを前記硬貨投入口に投入することができるようにした。
【００１０】
或いは、別の発明では、硬貨を投入する硬貨投入口を備え、投入された硬貨を装置内に取り込んで格納可能な現金処理装置であって、前記硬貨投入口に隣接して硬貨を一時的に置く硬貨置場を設け、前記硬貨置場は、間隔が最小サイズの硬貨の直径近傍であって当該直径より短いリブを前記硬貨投入口方向に向かって備え、前記リブの硬貨投入口近傍に前記リブの高さ相当の段差を設けたことにより、前記リブの間に落ち込んだ異物は前記段差に引っ掛って前記硬貨置場に残り、硬貨のみを前記硬貨投入口に投入することができるようにした。
【００１１】
或いは、別の発明では、硬貨を投入する硬貨投入口を備え、投入された硬貨を装置内に取り込んで格納可能な現金処理装置であって、前記硬貨投入口に隣接して硬貨を一時的に置く硬貨置場を設け、前記硬貨置場は、格子の対角の長さが最小サイズの硬貨の直径近傍であって当該直径より短く、リブの間を空洞とした格子状リブを備え、前記硬貨置場の下に異物収集箱を設けたことにより、異物は前記異物収集箱に落下し、硬貨のみを前記硬貨投入口に投入することができるようにした。
【００１２】
或いは、前記発明において、前記硬貨投入口は、当該硬貨投入口の装置正面側を囲むように落下防止部材を設けた。
【発明の効果】
【００１３】
本発明の現金処理装置によれば、以上のように構成したので、異物を硬貨置場に残して硬貨投入口に入らなくし、異物が硬貨受け皿に溜まって硬貨の取り込みを阻害したり、磁性を持たない異物が硬貨とともに装置内部に取り込まれないようにすることができ、或いはさらに、硬貨投入口を硬貨が越えて装置正面側に落下することをも防止することができる。
【図面の簡単な説明】
【００１４】
【図１】実施例１の現金処理装置および硬貨置場の構成図である。
【図２】実施例２の現金処理装置および硬貨置場の構成図である。
【図３】実施例３の現金処理装置および硬貨置場の構成図である。
【図４】実施例４の現金処理装置および硬貨置場の構成図である。
【図５】実施例５の現金処理装置および硬貨置場の構成図である。
【図６】実施例６の現金処理装置および硬貨置場の構成図である。
【図７】実施例７の現金処理装置および硬貨置場の構成図である。
【図８】従来の現金処理装置の硬貨投入口の構成図である。
【発明を実施するための形態】
【００１５】
以下、本発明に係わる実施の形態例を、図面を用いて説明する。図面に共通する要素には同一の符号を付す。なお、以下の説明では、硬貨等の現金を取り扱う現金処理金装置を例として説明するが、一定の大きさのコインなどを取り扱う処理装置などであってもよい。
【００１６】
また、以下の説明では、日本硬貨を例として説明し、その最小サイズの硬貨を１円硬貨として説明するが、１円硬貨を取り扱わない処理装置では、取り扱う硬貨のうち最も小さい硬貨を最小サイズの硬貨とすればよい。また、日本国以外の硬貨を取り扱う処理装置では、取り扱う硬貨のうち最も小さい硬貨を最小サイズの硬貨とすればよい。
【実施例１】
【００１７】
（構成）
図１（ａ）は、実施例１の現金処理装置１の構成図である。同図に示したように、実施例１の現金処理装置１は、硬貨９を投入するための硬貨投入口１１、紙幣を投入するための紙幣投入口２と、装置を覆う筐体カバー３と、オペレータや保守員、警送員等（以下、「オペレータ等」という）が操作する操作部４と、オペレータ等がそれぞれ所持する磁気カードの磁気データを読取るカード読取部５と、回収した硬貨や紙幣を格納する金庫部６と、オペレータ等が投入しようとする硬貨９を置いておく硬貨置場７とを備える。
【００１８】
図１（ｂ）は、実施例１の硬貨置場７のＡ−Ａ断面図、すなわち正面側から見た断面図であり、図１（ｃ）はその上面図である。同図に示したように、実施例１の硬貨置場７は、底面に千鳥状に突起２１が設けられており、隣あう突起２１の間隔は最小サイズの硬貨、すなわち、１円硬貨の直径Ｄ１＝２０ｍｍ近傍であって当該直径より短い間隔Ｌ１（例えば１８ｍｍ程度）で配置されている。
【００１９】
なお、突起２１の高さは想定される異物１０の高さとなる２ｍｍ程度より高くし、突起の直径は５ｍｍ程度とするのがよい。
【００２０】
（動作）
以上の構成により実施例１の現金処理装置１は、以下のように動作する。最初に、図１（ａ）を用いて硬貨９を入金する動作を以下詳細に説明する。
【００２１】
まず、オペレータ等がそれぞれ所持する磁気カードをカード読取部５に通すと、記録された磁気データをカード読取部５にて読み取り、操作者がオペレータ、保守員、警送員のいずれであるかを判定し、当該判定結果に応じて操作モードを切り替え、紙幣や硬貨の入金操作や、金庫部６から現金の回収操作、メンテナンス操作などを行う。
【００２２】
そして、現金処理装置１に硬貨９を入金するときは、一度に硬貨投入口１１に入る投入枚数には制限があるため、一旦、硬貨９を硬貨置場７に置く。
【００２３】
そして、硬貨置場７に置いた硬貨９を硬貨投入口１１が一杯になるまで投入し、投入された硬貨の鑑別が行われ金庫部６に搬送されると、硬貨置場７に残っている硬貨９を同様に硬貨投入口１１が一杯になるまで投入し、この作業を繰り返し行う。
【００２４】
このとき、硬貨置場７に置かれた硬貨９は、図１（ｂ）、（ｃ）に示したように、硬貨９の１箇所以上が突起２１の上に載り、異物１０は突起２１の間に落下する。
【００２５】
そして、硬貨置場７の硬貨９を硬貨投入口１１へ入れる際に、突起２１の間に落ち込んだ異物１０は千鳥状に配置してある突起２１に引っ掛り、硬貨置場７に残り、硬貨９のみが硬貨投入口１１に投入される。
【００２６】
（実施例１の効果）
以上のように、実施例１の現金処理装置によれば、硬貨投入口に隣接して硬貨を一時的に置く硬貨置場を設け、前記硬貨置場は、最小サイズの硬貨の直径近傍であって当該直径より短い間隔の突起を千鳥状に備えたので、異物を硬貨置場に残して硬貨投入口に入らなくし、異物が硬貨受け皿に溜まって硬貨の取り込みを阻害したり、磁性を持たない異物が硬貨とともに装置内部に取り込まれないようにすることができる。
【実施例２】
【００２７】
（構成）
図２（ａ）は、実施例２の現金処理装置１の構成図である。同図に示したように、実施例２の現金処理装置１は、実施例１の現金処理装置１の硬貨置場７の底面に設けた突起２１に替えて、詳細後述の楕円状の凹部２２を設けている。
【００２８】
図２（ｂ）は、実施例２の硬貨置場７のＢ−Ｂ断面図、すなわち正面側から見た断面図であり、図２（ｃ）はその上面図である。同図に示したように、実施例２の硬貨置場７は、底面に千鳥状に楕円状の凹部２２が設けられていて楕円状の凹部２２の楕円の短手方向は最小サイズの硬貨、すなわち、１円硬貨の直径Ｄ１＝２０ｍｍ近傍であって当該直径より短い長さＬ１（例えば１８ｍｍ程度）となっている。
【００２９】
凹部２２の長手方向は、長さＬ１より長くすればよいが、凹部２２を多くして均一に異物１０を落下させるために、最小サイズの硬貨の直径Ｄ１近傍の２２ｍｍ程度とするのがよい。
【００３０】
なお、凹部２２の深さは異物１０より深くし、２ｍｍ程度以上とするのがよい。その他の構成は、実施例１の構成と同様であるので簡略化のためにその詳細な説明は省略する。
【００３１】
（動作）
以上の構成により実施例２の現金処理装置１は、以下のように動作する。なお硬貨９を入金する動作については実施例１の動作と同様であるので簡略化のためにその詳細な説明は省略する。
【００３２】
硬貨置場７に置かれた硬貨９は、図２（ｂ）に示したように、凹部２２の中には完全に落下しないが、異物１０は凹部２２の中に落下する。
【００３３】
そして、硬貨置場７の硬貨９を硬貨投入口１１へ入れる際に、凹部２２の間に落ち込んだ異物１０は凹部２２の中に残り、硬貨９のみが硬貨投入口１１に投入される。
【００３４】
（実施例２の効果）
以上のように、実施例２の現金処理装置によれば、硬貨投入口に隣接して硬貨を一時的に置く硬貨置場を設け、前記硬貨置場は、短手方向が最小サイズの硬貨の直径近傍であって当該直径より短い楕円状の凹部を千鳥状に備えたので、さらに確実に、異物を硬貨置場に残して硬貨投入口に入らなくし、異物が硬貨受け皿に溜まって硬貨の取り込みを阻害したり、磁性を持たない異物が硬貨とともに装置内部に取り込まれないようにすることができる。
【実施例３】
【００３５】
（構成）
図３（ａ）は、実施例３の現金処理装置１の構成図である。同図に示したように、実施例３の現金処理装置１は、実施例１の現金処理装置１の硬貨置場７の底面に設けた突起２１に替えて、詳細後述の格子状リブ２３を設けている。
【００３６】
図３（ｂ）は、実施例３の硬貨置場７のＣ−Ｃ断面図、すなわち正面側から見た断面図であり、図３（ｃ）はその上面図である。同図に示したように、実施例３の硬貨置場７は、底面に格子状リブ２３が設けられており、格子状リブ２３の格子の短手方向は最小サイズの硬貨、すなわち、１円硬貨の直径Ｄ１＝２０ｍｍ近傍であって当該直径より短い長さＬ１（例えば、１８ｍｍ程度）となっている。
【００３７】
格子状リブ２３の格子の長手方向は、長さＬ１より長くすればよいが、格子を多くし均一に異物１０を落下させるために、最小サイズの硬貨の直径Ｄ１近傍の２２ｍｍ程度とするのがよい。
【００３８】
なお、格子状リブ２３の高さは異物１０の高さより高くし、２ｍｍ程度以上とするのがよい。その他の構成は、実施例１の構成と同様であるので簡略化のためにその詳細な説明は省略する。
【００３９】
（動作）
以上の構成により実施例３の現金処理装置１は、以下のように動作する。なお硬貨９を入金する動作については実施例１の動作と同様であるので簡略化のためにその詳細な説明は省略する。
【００４０】
硬貨置場７に置かれた硬貨９は、図３（ｂ）に示したように、格子状リブ２３の間に完全に落ちないが、異物１０は格子状リブ２３の間に落下する。
【００４１】
そして、硬貨置場７の硬貨９を硬貨投入口１１へ入れる際に、格子状リブ２３の間に落ち込んだ異物１０は格子状リブ２３の中に残り、硬貨９のみが硬貨投入口１１に投入される。
【００４２】
（実施例３の効果）
以上のように、実施例３の現金処理装置によれば、硬貨投入口に隣接して硬貨を一時的に置く硬貨置場を設け、前記硬貨置場は、短手方向が最小サイズの硬貨の直径近傍であって当該直径より短い格子状リブを備えたので、さらに確実に、異物を硬貨置場に残して硬貨投入口に入らなくし、異物が硬貨受け皿に溜まって硬貨の取り込みを阻害したり、磁性を持たない異物が硬貨とともに装置内部に取り込まれないようにすることができる。
【実施例４】
【００４３】
（構成）
図４（ａ）は、実施例４の現金処理装置１の構成図である。同図に示したように、実施例４の現金処理装置１は、実施例１の現金処理装置１の硬貨置場７の底面に設けた突起２１に替えて、詳細後述の溝２４を設けている。
【００４４】
図４（ｂ）は、実施例４の硬貨置場７のＤ−Ｄ断面図、すなわち正面側から見た断面図である。同図に示したように、実施例４の硬貨置場７には、硬貨投入口１１に向う溝２４が設けられており、その溝幅は最小サイズの硬貨、すなわち、１円硬貨の直径Ｄ１＝２０ｍｍ近傍であって当該直径より短い長さＬ１（例えば、１８ｍｍ程度）となっている。なお、溝２４の深さは異物１０の高さより深くし、２ｍｍ程度以上とするのがよい。
【００４５】
さらに、図４（ｃ）に示すように溝２４と硬貨投入口１１の境界には溝２４の深さ相当の２ｍｍ程度の段差３１が設けられている。その他の構成は、実施例１の構成と同様であるので簡略化のためにその詳細な説明は省略する。
【００４６】
（動作）
以上の構成により実施例４の現金処理装置１は、以下のように動作する。なお硬貨９を入金する動作については実施例１の動作と同様であるので簡略化のためにその詳細な説明は省略する。
【００４７】
硬貨置場７に置かれた硬貨９は、図４（ｂ）に示したように、溝２４の中には完全に落下しないが、異物１０は溝２４の中に落下する。
【００４８】
そして、硬貨置場７の硬貨９を硬貨投入口１１へ入れる際に、溝２４の間に落ち込んだ異物１０は段差３１に引っ掛るため、硬貨９のみが硬貨投入口１１に投入される。
【００４９】
（実施例４の効果）
以上のように、実施例４の現金処理装置によれば、硬貨投入口に隣接して硬貨を一時的に置く硬貨置場を設け、前記硬貨置場は、溝幅が最小サイズの硬貨の直径近傍であって当該直径より短い溝を前記硬貨投入口方向に向かって備え、前記溝の硬貨投入口近傍に段差を設けたので、さらに確実に、異物を硬貨置場に残して硬貨投入口に入らなくし、異物が硬貨受け皿に溜まって硬貨の取り込みを阻害したり、磁性を持たない異物が硬貨とともに装置内部に取り込まれないようにすることができる。
【実施例５】
【００５０】
（構成）
図５（ａ）は、実施例５の現金処理装置１の構成図である。同図に示したように、実施例５の現金処理装置１は、実施例１の現金処理装置１の硬貨置場７の底面に設けた突起２１に替えて、詳細後述のリブ２５を設けている。
【００５１】
図５（ｂ）は、実施例５の硬貨置場７のＥ−Ｅ断面図、すなわち正面側から見た断面図である。同図に示したように、実施例５の硬貨置場７には、硬貨投入口１１に向うリブ２５が設けられており、そのリブ２５の間隔は最小サイズの硬貨、すなわち、１円硬貨の直径Ｄ１＝２０ｍｍ近傍であって当該直径より短い間隔Ｌ１（例えば１８ｍｍ程度）となっている。
【００５２】
なお、リブ２５の高さは異物１０より高くし、２ｍｍ程度以上とするのがよい。さらに、図５（ｃ）に示すようにリブ２５と硬貨投入口１１の境界のリブ２５の間にはリブ２５の高さ相当の２ｍｍ程度の段差３１が設けられている。その他の構成は、実施例１の構成と同様であるので簡略化のためにその詳細な説明は省略する。
【００５３】
（動作）
以上の構成により実施例５の現金処理装置１は、以下のように動作する。なお硬貨９を入金する動作については実施例１の動作と同様であるので簡略化のためにその詳細な説明は省略する。
【００５４】
硬貨置場７に置かれた硬貨９は、図５（ｂ）に示したように、リブ２５の間に完全に落ちないが、異物１０はリブ２５の間に落下する。
【００５５】
そして、硬貨置場７の硬貨９を硬貨投入口１１へ入れる際に、リブ２５の間に落ち込んだ異物１０はリブ２５と段差３１に引っ掛るため、硬貨９のみが硬貨投入口１１に投入される。
【００５６】
（実施例５の効果）
以上のように、実施例５の現金処理装置によれば、硬貨投入口に隣接して硬貨を一時的に置く硬貨置場を設け、前記硬貨置場は、間隔が最小サイズの硬貨の直径近傍であって当該直径より短いリブを前記硬貨投入口方向に向かって備え、当該リブの硬貨投入口近傍に段差を設けたので、さらに確実に、異物を硬貨置場に残して硬貨投入口に入らなくし、異物が硬貨受け皿に溜まって硬貨の取り込みを阻害したり、磁性を持たない異物が硬貨とともに装置内部に取り込まれないようにすることができる。
【実施例６】
【００５７】
（構成）
図６（ａ）は、実施例６の現金処理装置１の構成図である。同図に示したように、実施例６の現金処理装置１は、実施例１の現金処理装置１の硬貨置場７の底面に設けた突起２１に替えて、詳細後述の格子間が空洞となった格子状リブ２６および異物収集箱３２を設けている。
【００５８】
図６（ｂ）は、実施例６の硬貨置場７のＦ−Ｆ断面図、すなわち正面側から見た断面図である。同図に示したように、実施例６の硬貨置場７は、底面に格子間が空洞となった格子状リブ２６を備え、格子の対角の長さは最小サイズの硬貨、すなわち、１円硬貨の直径Ｄ１＝２０ｍｍ近傍であって当該直径より短く、長さＬ１（例えば、１８ｍｍ程度）となっている。
【００５９】
なお、格子状リブ２３の高さは異物１０の高さより高くし、２ｍｍ程度以上とするのがよい。
【００６０】
また、硬貨置場７の下には、異物収集箱３２が図示しないネジなどにより固定されている。その他の構成は、実施例１の構成と同様であるので簡略化のためにその詳細な説明は省略する。
【００６１】
（動作）
以上の構成により実施例６の現金処理装置１は、以下のように動作する。なお硬貨９を入金する動作については実施例１の動作と同様であるので簡略化のためにその詳細な説明は省略する。
【００６２】
硬貨置場７に置かれた硬貨９は、図６（ｂ）に示したように、格子状リブ２６の間の空洞には完全に落下しないが、異物１０は空洞を通過し異物収集箱３２の中に落下する。
【００６３】
すなわち、硬貨置場７の硬貨９を硬貨投入口１１へ入れる際に、異物１０は異物収集箱３２に落下し、硬貨９のみが硬貨投入口１１に投入される。
【００６４】
（実施例６の効果）
以上のように、実施例６の現金処理装置によれば、硬貨投入口に隣接して硬貨を一時的に置く硬貨置場を設け、前記硬貨置場は、格子の対角の長さが最小サイズの硬貨の直径近傍であって当該直径より短く、リブの間を空洞とした格子状リブを備え、前記硬貨置場の下に異物収集箱を設けたので、さらに確実に、異物を硬貨置場に残して硬貨投入口に入らなくし、異物が硬貨受け皿に溜まって硬貨の取り込みを阻害したり、磁性を持たない異物が硬貨とともに装置内部に取り込まれないようにすることができる。
【実施例７】
【００６５】
（構成）
図７は、実施例７の現金処理装置１の構成図である。同図に示したように、実施例７の現金処理装置１は、実施例１の現金処理装置１の硬貨置場７の底面に設けた突起２１に替えて、実施例５にて説明したリブ２５を設け、硬貨投入口１１とリブ２５の境界に異物収集孔３３を設け、実施例６と同様の異物収集箱３２をその下側に備える。
【００６６】
さらに、実施例７の現金処理装置１は、フロントカバー３５の硬貨投入口１１の装置正面側を囲むように落下防止部材３４を設けている。その他の構成は、実施例１の構成と同様であるので簡略化のためにその詳細な説明は省略する。
【００６７】
（動作）
以上の構成により実施例７の現金処理装置１は、以下のように動作する。この動作を、図７を用いて以下詳細に説明する。なお硬貨９を入金する動作については実施例１の動作と同様であるので簡略化のためにその詳細な説明は省略する。
【００６８】
硬貨置場７に置かれた硬貨９は、リブ２５の間に完全に落ちないが、異物１０はリブ２５の間に落下する。
【００６９】
そして、硬貨置場７の硬貨９を硬貨投入口１１へ入れる際に、リブ２５の間に落ち込んだ異物１０は異物収集孔３３に引っ掛って、異物収集箱３２に落下るため、硬貨９のみが硬貨投入口１１に向かう。
【００７０】
このとき、硬貨９が硬貨投入口１１を越えても、落下防止部材３４に衝突して硬貨投入口１１の中に落下する。
【００７１】
なお、以上の実施例の説明では、実施例５のリブを設けた硬貨置場を例として説明したが、実施例１ないし実施例４または実施例６の硬貨置場を備えた場合において、硬貨投入口の装置正面側を囲むように落下防止部材を設けるようにしてもよい。
【００７２】
（実施例７の効果）
以上のように、実施例８の現金処理装置によれば、前記硬貨投入口に隣接して硬貨を一時的に置く硬貨置場を設け、前記硬貨投入口は、当該硬貨投入口の装置正面側を囲むように落下防止部材を設けたので、実施例１ないし実施例６の効果に加え、硬貨投入口を硬貨が越えて装置正面側に落下することも防止することができる。
【産業上の利用可能性】
【００７３】
以上述べたように、本発明は、硬貨等の現金を扱う現金処理装置に広く用いることができる。
【符号の説明】
【００７４】
１    現金処理装置
３    筐体カバー
７    硬貨置場
９    硬貨
１０  異物
２１  突起
２２  凹部
２３  格子状リブ
２４  溝
２５  リブ
２６  格子状リブ
３１  段差
３２  異物収集箱
３３  異物収集孔
３４  落下防止用部材
３５  フロントカバー
【図１】
0005728886.tif 000002
【図２】
0005728886.tif 000003
【図３】
0005728886.tif 000004
【図４】
0005728886.tif 000005
【図５】
0005728886.tif 000006
【図６】
0005728886.tif 000007
【図７】
0005728886.tif 000008
【図８】
0005728886.tif 000009